(57)【要約】第1の就寝表面と第2の就寝表面を有しており、かつ第1の就寝表面を覆うための第1の着脱可能な部分、第2の就寝表面を覆うための第2の着脱可能な部分およびマットレスカバーの前記第1と第2の着脱可能な部分をマットレスに着脱可能なように取り付けるためのマットレスの側方周辺部のまわりに置かれた第3の部分より構成されるカバー付きマットレス。
2005520613.tif 000002
【特許請求の範囲】
【請求項１】
第1の就寝表面と第2の就寝表面を有しており、かつ第1の就寝表面を覆うための第1の着脱可能な部分、第2の就寝表面を覆うための第2の着脱可能な部分およびマットレスカバーの前記第1と第2の着脱可能な部分をマットレスに着脱可能なように取り付けるためのマットレスの側方周辺部のまわりに置かれた第3の部分より構成されるカバー付きマットレス。
【請求項２】
第3の部分がマットレスに縫い付けられている請求項1によるカバー付きマットレス。  
【請求項３】
第3の部分が飾り鋲、ホック、接着剤のいずれか1つを用いて、あるいは第3の部分をマットレスに固定する能力のある他の手段によってマットレスに固定されている請求項1によるカバー付きマットレス。
【請求項４】
第3の部分はマットレス用カバーの第1の着脱可能な部分に取り付けた補足的な第1の閉鎖部材の半分に固定可能である第1の閉鎖部材の半分で構成し、またさらにマットレス用カバーの第2の着脱可能な部分に取り付けた第2の閉鎖部材の補足的な半分に固定可能である第2の閉鎖部材の半分より構成される前記各請求項のいずれか1つに従ったカバー付きマットレス。  
【請求項５】
第1と第2の閉鎖部材がジッパーである請求項4によるカバー付きマットレス。
【請求項６】
第3の部分がマットレスの周辺部のまわりに連続的に伸展する前記各請求項のいずれか1つに従ったカバー付きマットレス。  
【請求項７】
第1の着脱可能な部分と第2の着脱可能な部分は相互に交換可能であり、そのため第1の着脱可能な部分は第2の就寝表面を覆うためマットレスに取り付け可能であって、かつ第2の着脱可能な部分は第1の就寝表面を覆うためマットレスに取り付け可能である前記各請求項のいずれか1つに従ったカバー付きマットレス。
【請求項８】
第3の部分はマットレスの厚さより小さい幅であり、第1の着脱可能な部分に取り付けた第1の閉鎖部材は第1の就寝表面の端部からある距離に置き、また第2の着脱可能な部分に取り付けた第2の閉鎖部材は第2の就寝表面の端部からある距離に置いた、前記各請求項のいずれか1つに従ったカバー付きマットレス。  
【請求項９】
第3の部分は浸透性の材料で製作する前記各請求項のいずれか1つに従ったカバー付きマットレス。  
【請求項１０】
第3の部分は少なくとも1つの通気口で構成する前記各請求項のいずれか1つに従ったカバー付きマットレス。  
【請求項１１】
従来の成人サイズのマットレスで使用する前記各請求項のいずれか1つに従ったカバー付きマットレス。
【請求項１２】
幼児サイズのマットレスで使用する前記各請求項のいずれか1つに従ったカバー付きマットレス。
【請求項１３】
前記マットレスの第1と第2の就寝表面は不浸透性の材料で作る前記各請求項のいずれか1つに従ったカバー付きマットレス。  
【請求項１４】
マットレスの第1と第2の表面に不浸透性の材料で裏を付けた前記各請求項のいずれか1つに従ったカバー付きマットレス。
【請求項１５】
カバーの第1の着脱可能な部分と第2の着脱可能な部分に不浸透性の材料で裏を付けた前記各請求項のいずれか1つに従ったカバー付きマットレス。  
【請求項１６】
不浸透性の材料は防水性として、下にあるマットレスの汚損を防止する請求項13から15のいずれか1つに従ったカバー付きマットレス。  
【請求項１７】
不浸透性の材料は防水性として、ほこりやチリダニに対して不浸透性とする請求項13から16のいずれか1つに従ったカバー付きマットレス。
【請求項１８】
第1の就寝表面と第2の就寝表面を有しており、かつ第1の就寝表面を覆うための第1の着脱可能な部分、第2の就寝表面を覆うための第2の着脱可能な部分より構成され、第1の着脱可能な部分と第2の着脱可能な部分は相互に交換可能とし、そのため第1の着脱可能な部分は第2の就寝表面を覆うためにマットレスに取り付け可能としかつ第2の着脱可能な部分は第1の就寝表面を覆うためにマットレスに取り付け可能とするカバー付きマットレス。
【請求項１９】
カバーは第1のマットレスの就寝表面を覆うためマットレスに着脱可能なように取り付け可能な第1の部分とマットレスの第2の就寝表面を覆うためマットレスに着脱可能なように取り付け可能な第2の部分より構成するマットレスに着脱可能なように取り付け可能なカバー。  
【請求項２０】
カバーの第1と第2の部分をマットレスに取り付ける手段はそれぞれマットレスの側方周辺部のまわりに置いた第1と第2の閉鎖部材により、この場合に第1の閉鎖部材の半分はマットレスに取り付けてあり、またカバーの第1の着脱可能な部分に取り付けた第1の閉鎖部材の補足的な半分に固定可能とし、この場合に第2の閉鎖部材の半分はマットレスに取り付けてあり、またカバーの第2の着脱可能な部分に取り付けた第2の閉鎖部材の補足的な半分に固定可能とする請求項19によるカバー。  
【請求項２１】
第1と第2の閉鎖部材がジッパー式の締結具である請求項20によるカバー。  
【請求項２２】
カバーの第1の部分は第1の就寝表面の端部を越えて伸展可能としてマットレスの側方周辺部を部分的に覆うようにしてあり、またカバーの第2の部分はマットレスの第2の就寝表面の端部を越えて伸展可能としてマットレスの側方周辺部を部分的に覆うようにしてある請求項19から21のいずれか1つに従ったカバー。  
【請求項２３】
着脱可能なカバーは閉鎖部材の第1の要素を含み、閉鎖部材の補足的な要素に取り付けることで、カバーをマットレスに着脱可能なように取り付けて第1の就寝表面を覆い、また、この場合に着脱可能なカバーの閉鎖部材の第1の要素は、カバーをマットレスへ取り付けて第2の就寝表面を覆うため、閉鎖部材の補足的な要素へ取り付ける操作も可能になる着脱可能なカバー。  
【請求項２４】
マットレスの側方周辺部のまわりのある位置においてマットレスに貼り付けられる能力があり、マットレスの第1の就寝表面を覆うためカバーの第1の部分を着脱可能なように取り付けるように適応させられたカバーの側方の部分。  
【請求項２５】
第2の就寝表面を覆うためのカバーの第2の着脱可能な部分を着脱可能なように取り付けるように適応させられた請求項24によるカバーの側方の部分。  
【請求項２６】
側方の部分はマットレスに縫い付けられるべく適応させられた請求項24または請求項25によるカバーの側方の部分。  
【請求項２７】
第3の部分が飾り鋲、ホック、接着剤のいずれか1つを用いて、あるいはカバーの第3の部分をマットレスに固定する能力のある他の手段によってマットレスに固定されるべく適応させられた請求項24または請求項25によるカバーの側方の部分
【請求項２８】
就寝表面部分および基盤部分より構成されており、就寝表面部分は基盤部分に取り付けた閉鎖部材の補足的な要素への着脱可能な取り付けのため閉鎖部材の第1の要素より構成され、この場合に基盤部分はさらに前記マットレスの側方周辺部の一部を覆うための側面部分より構成され、さらに前記カバーを前記マットレスに留めるための手段より構成される、マットレスのための着脱可能なカバー。  
【請求項２９】
着脱可能なカバーをマットレスに留めるための手段は弾性を有する手段とする請求項28によるマットレスのための着脱可能なカバー。  
【請求項３０】
着脱可能なカバーをマットレスに留めるための手段が絞り紐、ホック、飾り鋲のいずれか1つ、あるいはカバーをマットレスに着脱可能なように留める能力のあるその他の手段である請求項28によるマットレスのための着脱可能なカバー。
【請求項３１】
留める手段は基盤部分の一部を形成する請求項28から30のいずれか1つに従った着脱可能なカバー。
【請求項３２】
着脱可能なマットレス用カバーを従来のどんなマットレスにもしっかり留めることが可能になる請求項28から31のいずれか1つに従った着脱可能なカバー
【請求項３３】
基盤部分に不浸透性の材料で裏を付けた請求項28から32のいずれか1つに従った着脱可能なマットレス用カバー。  
【請求項３４】
不浸透性の材料は防水性として、下にあるマットレスの汚損を防止する請求項33による着脱可能なマットレス用カバー。  
【請求項３５】
不浸透性の材料は防水性として、ほこりやチリダニに対して不浸透性とする請求項33または請求項34に従った着脱可能なマットレス用カバー。
【請求項３６】
マットレスの側方周辺部の一部を覆う側面部分を通気性の材料で作り、チリダニやほこりをマットレスの各側面を通って側方に追い出すことが可能にした請求項28から35のいずれか1つに従った着脱可能なマットレス用カバー。  
【請求項３７】
下記の各段階で構成する着脱可能なマットレス用カバーを製造する方法。
着脱可能なマットレス用カバーの側方周辺部がマットレス用カバーをマットレスに着脱可能なように取り付けるための取り付け手段より構成される状況下で、着脱可能なマットレス用カバーの側方周辺部を形成すること。
マットレス用型板が着脱可能なカバーを着脱可能なように取り付ける対象であるマットレスに対応している状況下で、前記取り付け手段を使用して側方周辺部をマットレス用型板に取り付けること。
着脱可能なカバーの就寝表面部分をマットレス用型板にかぶせて敷くこと。
そして、側方周辺部と就寝表面部分の両者がマットレス用型板上で所定位置にあるときに着脱可能なカバーの前記側方周辺部を着脱可能なカバーの就寝表面部分に留めること。  
【請求項３８】
下記の各段階で構成する着脱可能なカバーを受け入れるためのマットレスを形成する方法。
着脱可能なカバーをマットレスに取り付けるためのマットレス取り付け手段を形成すること。
カバー用型板がマットレス上に敷くべきカバーに対応している状況下で、前記取り付け手段をカバー用型板に取り付けること。
マットレスを型板に入れること。
そして、マットレスとマットレス取り付け手段の両者が型板上で所定位置にあるときに前記マットレス取り付け手段をマットレスに留めること。  
【請求項３９】
マットレスを受け入れる操作が可能とし、かつ着脱可能なカバーに対応するように配置したカバー取り付け手段より構成し、マットレスをの型板にはめることにより、型板のカバー取り付け手段を基準としてマットレス取り付け手段をマットレス上で正確に整列させることが可能になるようにしてある、着脱可能なカバーを受け入れるためのマットレスを形成するための型板。  
【請求項４０】
型板のカバー取り付け手段がジッパーのオスの部分より構成され、この部分が型板にはめたときに実質的にマットレスの側方周辺部全部のまわりに伸展するように配置される請求項39による型板。  
【請求項４１】
カバー取り付け手段が型板に留められるように着脱可能なカバーを受け入れるように配置された型板で、またカバー取り付け手段と着脱可能なカバーの就寝表面部分の両者が型板上で所定位置にあるときにカバーの就寝表面部分がカバー取り付け手段に留められ、型板上で所定位置にあるときにカバーを形成することにより型板が対応する対象であるマットレスにカバーが充分に正確に適合するのが確実になる、マットレス用の着脱可能なカバーを形成するための型板。  
【請求項４２】
第1と第2の着脱可能なように覆われる就寝表面を有するマットレスのための第1と第2のマットレス取り付け手段を置くための型板で、型板はマットレスに取り付けられるべきカバーの取り付け手段に対応している第1と第2のカバー取り付け手段より構成しており、第1と第2のカバー取り付け手段は、マットレス上に置いたときにカバー取り付け手段と同じ仕方で互いとの関係で型板上に置いてあり、その状況としてはマットレス取り付け手段を型板に取り付けてもよく、かつ互いとの関係で所定位置にしっかり留めてもよい型板。  
【請求項４３】
下記の各段階で構成するマットレス用の着脱可能なカバーを製造する方法。
着脱可能なカバーの側方周辺部が着脱可能なカバーの基盤部分を着脱可能なカバーの就寝表面部分に着脱可能なように取り付けるための取り付け手段より構成される状況下で、着脱可能なカバーの側方周辺部を形成すること。
前記取り付け手段を使用して側方周辺部をマットレス用型板に取り付けること。
着脱可能なカバーの就寝表面部分をマットレス用型板にかぶせて置くこと。
そして、側方周辺部と就寝表面部分の両者がマットレス用型板上で所定位置にあるときに着脱可能なカバーの前記側方周辺部を着脱可能なカバーの就寝表面部分に留めること。
【発明の詳細な説明】
【技術分野】
【０００１】
発明の分野
本発明はマットレスに、とりわけカバー付きマットレスに関する。
【背景技術】
【０００２】
発明の背景
従来のマットレスを汚れから保護するために通常、ベッドのリンネルの下方、マットレスの就寝表面にわたってプラスチック製ライニング材または保護具が置かれている。人の体重の圧力を受けてプラスチック製保護具がずれがちであるので、この形状配置は不快かつ不都合である。
【０００３】
幼児、寝たきりの人たち、または老人たちを介護するに際して、かような形状配置では、ベッドのリンネルとマットレスの汚れが発生する都度、ベッド上で人／幼児を持ち上げて汚れたリンネルを取り外し、新しいリンネルに取り替えることになるので、さらに大きい短所となる。かような作業は時間がかかって骨の折れる仕事であり、寝たきりの人／幼児にとってのみならず、例えば親や看護士などの介護者にとっても非常に不都合になる。
【０００４】
また、プラスチック製保護具が使用されていな場合では、ほこりやチリダニがマットレス（通常、木綿などの何らかの通気性材料で作られている）を通って洩れ出て睡眠中の人／幼児の顔に直接に降りかかりがちである。これでは老人、幼児、また喘息患者など呼吸器系の問題をかかえる人たちにとって特に問題となる。
【０００５】
本明細書に含まれている文書、行為、材料、装置、物品等々に関するいかなる論議もひとえに本発明の状況を提供することを目的としている。これらの事項のいずれか、または全てが当出願の各請求項の優先日より以前にオーストラリアに存在していたことを理由として、それが先行技術の基盤の一部を形成すること、あるいは本発明に関連する分野において普通の一般的な知識であったことの是認として取られるべきではない。
【０００６】
発明の概要
第1の局面において、本発明はカバー付きマットレスを提供するが、前記マットレスは第1の就寝表面および第2の就寝表面を有しており、前記カバーは第1の就寝表面を覆うための第1の着脱可能な部分、第2の就寝表面を覆うための第2の着脱可能な部分およびマットレス用カバーの前記第1と第2の着脱可能な部分をマットレスに着脱可能なように取り付けるためにマットレスの側方周辺部のまわりに置かれた第3の部分より構成する。
【０００７】
望ましくは、第3の部分はマットレスに縫い付ける。ただし、第3の部分は飾り鋲、ホック、接着剤によって、あるいは第3の部分をマットレスに固定する能力のある他の何らかの手段によってマットレスに固定してもよい。
【０００８】
望ましくは、第3の部分はマットレス用カバーの第1の着脱可能な部分に取り付けた第1の閉鎖部材の補足的な半分に固定可能である第1の閉鎖部材の半分より構成し、またさらにマットレス用カバーの第2の着脱可能な部分に取り付けた第2の閉鎖部材の補足的な半分に固定可能である第2の閉鎖部材の半分より構成する。最も望ましくは、第1と第2の閉鎖部材はジッパーとする。望ましくは、第3の部分はマットレスの周辺部のまわりに連続的に伸展させる。
【０００９】
また望ましくは、第1の着脱可能な部分および第2の着脱可能な部分は相互に交換可能とし、そのため第1の着脱可能な部分は第2の就寝表面を覆うためにマットレスに取り付け可能としてかつ第2の着脱可能な部分は第1の就寝表面を覆うためにマットレスに取り付け可能であるようにする。
【００１０】
望ましくは、第3の部分はマットレスの厚さより小さい幅のものとする。かような状況により、第1の着脱可能な部分に取り付けた第1の閉鎖部材は第1の就寝表面の端部からある距離に置き、また第2の着脱可能な部分に取り付けた第2の閉鎖部材の第2の就寝表面の端部からある距離に置く。マットレスに重みがかかったときに、マットレス上での閉鎖部材のかような配置により、カバーの第1の着脱可能な部分と第2の着脱可能な部分がマットレスに取り付けられる領域に直接に加えられる力が引き下げられる。その結果、これによってカバー付きマットレスがより大きい荷重に耐えることが可能になる。
【００１１】
望ましくは、第3の部分は浸透性の材料で製作する。これによってマットレスが「呼吸する」ことが出来る（即ち、不浸透性の材料で裏を付けたマットレスの第1と第2の就寝表面を通って洩れ出ることができないほこりやチリダニを排除することが可能になる）。最も望ましくは、第3の部分は少なくとも1つの通気口で構成する。また、かような通気口はマットレスの側方にほこりやチリダニを排除するのに役立つ。
【００１２】
かようなカバー付きマットレスが従来の成人サイズのマットレス、幼児サイズのマットレスや例えばペット用マットレスなど他のマットレスでの用途に応用可能できるであろうと期待される。
【００１３】
望ましくは、前記マットレスの第1と第2の就寝表面は不浸透性の材料で作る。しかし、マットレスの第1と第2の表面は不浸透性の材料で裏を付けてもよいし、あるいは別法として、カバーの第1の着脱可能な部分と第2の着脱可能な部分に不浸透性の材料で裏を付けてもよい。マットレス自体に不浸透性のライニング材で裏を付ける必要がない故に、カバーの第1と第2の着脱可能な部分に不浸透性の材料で裏を付けた配置が審美的な観点から特に有利になることは高く評価されるべきであるが、その配置ではなくて、例えば、不浸透性のプラスチック製ライニング材に比較してより魅力的に見え、また感じられる木綿などの布地で覆っても良い。かような実施例においては着脱可能なカバーの有無にかかわらずマットレスを機能的でかつ快適にすることができる。
【００１４】
望ましくは、不浸透性の材料は防水性として、下にあるマットレスの汚損を防止する。最も望ましくは、不浸透性の材料は防水性とし、ほこりやチリダニに対して不浸透性とする。
【００１５】
第2の局面において、本発明はカバー付きマットレスを提供するが、前記マットレスは第1の就寝表面と第2の就寝表面を持たせてあり、前記カバーは第1の就寝表面を覆うための第1の着脱可能な部分と第2の就寝表面を覆うための第2の着脱可能な部分より構成している。
【００１６】
望ましくは、第2の局面のマットレスはさらに、第1の就寝表面にわたるある位置にある前記第1の着脱可能な部分を取り付ける第1の手段と第2の就寝表面にわたるある位置にある前記第2の着脱可能な部分を取り付ける第2の手段より構成する。最も望ましくは、取り付けの前記手段はジッパー式の締結具とする。
【００１７】
また望ましくは、第1の着脱可能な部分と第2の着脱可能な部分は相互に交換可能とし、そのため第1の着脱可能な部分は第2の就寝表面を覆うためのマットレスに取り付け可能としかつ第2の着脱可能な部分は第1の就寝表面を覆うためのマットレスに取り付け可能とする。
【００１８】
第3の局面において、本発明はマットレスに着脱可能なように取り付け可能なカバーを提供するが、前記カバーは第1のマットレスの就寝表面を覆うためのマットレスに着脱可能なように取り付け可能な第1の部分とマットレスの第2の就寝表面を覆うためのマットレスに着脱可能なように取り付け可能な第2の部分より構成する。
【００１９】
望ましくは、カバーの第1と第2の部分をマットレスに取り付ける手段はそれぞれマットレスの側方周辺部のまわりに置いた第1と第2の閉鎖部材により、この場合に第1の閉鎖部材の半分はマットレスに取り付けてあり、またカバーの第1の着脱可能な部分に取り付けた第1の閉鎖部材の補足的な半分に固定可能とし、この場合に第2の閉鎖部材の半分はマットレスに取り付けてあり、またカバーの第2の着脱可能な部分に取り付けた第2の閉鎖部材の補足的な半分に固定可能とする。最も望ましくは、第1と第2の閉鎖部材はジッパー式の締結具とする。
【００２０】
望ましくは、カバーの第1の部分は第1の就寝表面の端部を越えて伸展可能としてマットレスの側方周辺部を部分的に覆うようにしてあり、またカバーの第2の部分はマットレスの第2の就寝表面の端部を越えて伸展可能としてマットレスの側方周辺部を部分的に覆うようにしてある。
【００２１】
第4の局面において、本発明はマットレスのための着脱可能なカバーを提供するが、着脱可能なカバーは閉鎖部材の第1の要素を含み、閉鎖部材の補足的な要素に取り付けることで、カバーをマットレスに着脱可能なように取り付けて第1の就寝表面を覆い、また、この場合に着脱可能なカバーの閉鎖部材の第1の要素は、カバーをマットレスへ取り付けて第2の就寝表面を覆う。
【００２２】
第5の局面において、本発明はマットレスの側方周辺部のまわりのある位置においてマットレスに貼り付けられる能力のあるカバーの側方の（あるいは第3の）部分を提供するが、前記側方の部分は第1の就寝表面を覆うためのカバーの第1の部分をマットレスに着脱可能なように取り付けるように適応させる。望ましくは、側方の部分は第2の就寝表面を覆うためのカバーの第2の着脱可能な部分を着脱可能なように取り付けるようにも適応させる。望ましくは、側方の部分はマットレスに縫い付けられるべく適応させる。ただし、飾り鋲、ホック、接着剤によって、あるいはカバーの第3の部分をマットレスに固定する能力のある何らかの他の手段によってマットレスに固定するように側方の部分を適応させてもよい。
【００２３】
第6の局面において、本発明はマットレスのための着脱可能なカバーを提供するが、これは就寝表面部分および基盤部分より構成し、前記就寝表面部分は基盤部分取り付けた閉鎖部材の補足的な要素への着脱可能な取り付けのための閉鎖部材の第1の要素より構成するが、この場合に基盤部分はさらに前記マットレスの側方周辺部の一部を覆うための側面部分より構成する。望ましくは、着脱可能なカバーはさらに前記カバーを前記マットレスに留めるための手段より構成する。
【００２４】
望ましくは、着脱可能なカバーをマットレスに留めるための手段は弾性を有する手段とする。ただし、絞り紐、ホック、飾り鋲などの手段その他カバーをマットレスに着脱可能なように留める能力のある手段を採用してもよい。望ましくは、留める手段は基盤部分の一部を形成する。
【００２５】
有利なことにはこの配置によって、発明による着脱可能なマットレス用カバーを従来のどんなマットレスにもしっかり留めることが可能になる。
【００２６】
望ましくは、基盤部分に不浸透性の材料で裏を付ける。また望ましくは、不浸透性の材料は防水性として、下にあるマットレスの汚損を防止する。最も望ましくは、不浸透性の材料は防水性とし、ほこりやチリダニに対して不浸透性とする。
【００２７】
望ましくは、マットレスの側方周辺部を覆う側面部分は通気性の材料で作るが、こうすればチリダニやほこりをマットレスの各側面を通って側方に追い出すことが可能になる。
【００２８】
第7の局面において、本発明は着脱可能なマットレス用カバーを製造する方法を提供するが、前記方法は下記の各段階で構成する。
【００２９】
着脱可能なマットレス用カバーの側方周辺部を形成すること。この場合に着脱可能なマットレス用カバーの側方周辺部はマットレス用カバーをマットレスに着脱可能なように取り付けるための取り付け手段より構成する。
【００３０】
前記取り付け手段を使用して側方周辺部をマットレス用型板に取り付けすること。この場合にマットレス用型板は着脱可能なカバーを着脱可能なように取り付ける対象であるマットレスに対応している。
【００３１】
着脱可能なカバーの就寝表面部分をマットレス用型板にかぶせて敷くこと。
そして側方周辺部と就寝表面部分の両者がマットレス用型板上で所定位置にあるときに着脱可能なカバーの前記側方周辺部を着脱可能なカバーの就寝表面部分に留めること。
【００３２】
マットレス用型板をこのように使用することにより、本発明によってマットレス用カバーを正確に形成することが可能になるが、これらのカバーは一つのマットレスから次のマットレスへと相互に交換が可能とする。
【００３３】
第8の局面に従って、本発明は着脱可能なカバーを受け入れるためのマットレスを形成する方法を提供するが、この方法は下記の各段階で構成する。
着脱可能なカバーをマットレスに取り付けるためのマットレス取り付け手段を形成すること。
前記取り付け手段をカバー用型板に取り付けすること。この場合にカバー用型板はマットレス上に敷くべきカバーに対応させる。
マットレスを型板に入れること。
そして、マットレスとマットレス取り付け手段の両者が型板上で所定位置にあるときに前記マットレス取り付け手段をマットレスに留めること。
【００３４】
カバー用型板をこのように使用することにより、本発明によってマットレス取り付け手段を、そのように形成されたどのマットレスにもムラなく置くことが可能になる。かかる次第で、かようなどのマットレスにも適切な着脱可能なカバーを取り付けることができ、かくして相互に交換可能なマットレスとカバーが揃うことになる。
【００３５】
片側の就寝表面のみにわたる着脱可能なカバーを有するマットレス、あるいは両方の就寝表面にわたる着脱可能なカバーを有するマットレスを製造するような方法が使用されることも想定している。
【００３６】
第9の局面に従って、本発明は着脱可能なカバーを受け入れるためのマットレスを形成するための第1の型板を提供するが、第1の型板はマットレスを受け入れる操作が可能とし、かつ着脱可能なカバーに対応するように配置したカバー取り付け手段より構成するが、これはマットレスを第1の型板にはめることにより、第1の型板のカバー取り付け手段を基準としてマットレス取り付け手段をマットレス上で正確に整列させることが可能になるようにしてある。
【００３７】
第1の型板のカバー取り付け手段はジッパーのオスの部分より構成してもよいが、この部分は型板にはめたときに実質的にマットレスの側方周辺部全部のまわりに伸展するように配置する。かような実施例においては、マットレス取り付け手段はジッパーのメスの部分より構成することになろうが、そのジッパーは型板のオスの部分と噛み合わせることができ、また所定位置にあるときにマットレスにしっかり留めることができる。
【００３８】
第10の局面に従って、本発明はマットレスのための着脱可能なカバーを形成するための第2の型板を提供するが、この場合に第2の型板は着脱可能なカバーを受け入れるように配置して着脱可能なカバーを取り付ける対象であるマットレスと実質的に同じようにし、その状況としてはカバー取り付け手段を型板にしっかり留めてもよく、またカバー取り付け手段と着脱可能なカバーの就寝表面部分の両者が第2の型板上で所定位置にあるときにカバーの就寝表面部分をカバー取り付け手段にしっかり留めてもよい。
【００３９】
かような型板がマットレスと実質的に同じ仕方で着脱可能なカバーを受け入れるので、型板上で所定位置にあるときにカバーを形成することにより型板が対応する対象であるマットレスにカバーが充分に正確に適合するが確実になる。
【００４０】
第11の局面に従って本発明は、第1と第2の着脱可能なように覆われる就寝表面を有するマットレスのための第1と第2のマットレス取り付け手段を置くための第3の型板を提供するが、第3の型板はマットレスに取り付けられるべきカバーの取り付け手段に対応している第1と第2のカバー取り付け手段より構成しており、第1と第2のカバー取り付け手段は、マットレス上に置いたときにカバー取り付け手段と同じ仕方で互いとの関係で第3の型板上に置いてあり、その状況としてはマットレス取り付け手段を第3の型板に取り付けてもよく、かつ互いとの関係で所定位置にしっかり留めてもよい。
【００４１】
例えば、第3の型板の第1と第2のカバー取り付け手段がメスのジッパー部分である場合には、マットレス取り付け手段としての役目をするように意図されたオスのジッパー部分と型板上へと噛み合うことができ、ついで型板上で所定位置にあるときにマットレス側面の縁にしっかり留めることができる。それゆえに、かようなメスのジッパー部分をマットレス側面の縁上で互いとの関係で正確に、各々のその後のマットレス側面の縁にて反復可能な仕方で、置くことができる。これによってかようなマットレス間での相互交換性が容易になる。
【００４２】
第12の局面に従って本発明はマットレスのための着脱可能なカバーを製造する方法を提供するが、前記方法は下記の各段階で構成する。
着脱可能なカバーの側方周辺部を形成すること。この場合に着脱可能なカバーの側方周辺部は着脱可能なカバーの基盤部分を着脱可能なカバーの就寝表面部分に着脱可能なように取り付けるための取り付け手段より構成する。
前記取り付け手段を使用して側方周辺部をマットレス用型板に取り付けること。
着脱可能なカバーの就寝表面部分をマットレス用型板にかぶせて置くこと。
そして、側方周辺部と就寝表面部分の両者がマットレス用型板上で所定位置にあるときに着脱可能なカバーの前記側方周辺部を着脱可能なカバーの就寝表面部分に留めること。
【００４３】
発明の第13の局面に従って、マットレスに着脱可能なように取り付け可能なカバーが提供されているが、前記カバーは第1の部分と第2の部分を有しており、この場合に前記マットレスの就寝表面を覆うように前記第1の部分を適応させ、また前記第2の部分に着脱可能なように取り付け可能とし、また、この場合に前記第2の部分は、前記マットレスの側方周辺部のまわりである位置にあるにおいて貼り付け可能とする。
【００４４】
マットレス用型板をこのように使用することにより、本発明によってマットレス用カバーを正確に形成することが可能になるが、これらのカバーは一つのマットレスから次のマットレスへと相互に交換が可能とする。
【００４５】
発明の詳細な説明
第1図から第4図は第1の望ましい本発明の実施例に従ったカバー付きマットレス1を描写しており、これは第1の着脱可能な部分3、第2の着脱可能な部分5および第3の部分7より構成するが、この場合に第1と第2の着脱可能な部分3、5の両者が第3の部分7に取り付け可能である。第1図から第4図に描写されているように、第3の部分7はマットレスの側方周辺部を取り囲んでおり、マットレスに縫い付けられている。カバーの第1と第2の着脱可能な部分3、5は取り外して、第1の就寝表面(9)と第1の就寝表面9（図示されてない）に向き合っている第2の就寝表面を有するマットレスを露出させることができる。
【００４６】
図示した実施例においては、カバーの第1と第2の着脱可能な部分3、5の両者は木綿で作られており、これは通気性があり、吸湿性があり水洗いができる。ただし、着脱可能なカバーの第1と第2の部分3、5にはリンネルやポリエステルフリースなどの材料も使用することができる。図示した実施例においては、第1の就寝表面9および第2の就寝表面は不浸透性の材料で作られているのでマットレスが汚れないように保護し、またチリダニやほこりがマットレスを通って洩れ出て睡眠中の幼児／人の顔に降りかかるのを防止する。別案の実施例においては、カバーの第1と第2の着脱可能な部分3、5に不浸透性の材料で裏を付けてもよい。本実施例においては、不浸透性の材料はプラスチック製であるが、ビニールや木綿などの材料を代案的に使用してもよい。
【００４７】
本発明によって第1の着脱可能な部分3をマットレスからたやすく外すことが可能になり、これを外すにはカバーの第1の着脱可能な部分3ををマットレスに取り付けているジッパー4を開いてする。このため、万一着脱可能なカバー3が汚れた場合、すばやく取り外すことができる。さらに、このときマットレス全体を裏返すことができ、こうすればカバーの第2の着脱可能な部分5をすぐに使用することができる。またジッパー6を開くと第2の着脱可能な部分5も取り外すことができる。かような形状配置によりマットレスの上とベッドのリンネルの下にある別々のプラスチック製保護具を使用する必要がなくなる。またかような形状配置によってベッドのリンネルを使用する必要もなくなるが、それはカバーの第1と第2の着脱可能な部分3、5が快適な材料、木綿で作られているからであり、また必要の都度たやすくかつ好都合に取り外して水洗することができるからである。
【００４８】
第1図から第4図までに図示した実施例においては、第3の部分7はマットレスの厚さTよりも小さい幅wになっている。かような状況により、ジッパー4は第1の就寝表面9の端部8からある距離に置かれており、またジッパー6は第2の就寝表面の端部10からある距離に置かれている。マットレス上にジッパー4、6をかように置くことによって、マットレスに荷重が加えられたときにジッパーに直接に加えられて力が小さくなる。激しい荷重を受けるときにジッパーが故障箇所となることが多いので、この配置によってカバー付きマットレス1がより大きい荷重に耐えられるようになる。
【００４９】
第1図から第4図までに図示した実施例においては、第3の部分7は通気性の材料で作るが、こうすればチリダニやほこりをマットレスの各側面を通って側方に追い出すことが可能になる。上述のように、マットレスの第1と第2の就寝表面上の不浸透性のライニング材によりほこりやチリダニが第1と第2の就寝表面を通り抜けることが防止される。したがって、こうしてチリダニやほこりが追い出されて睡眠中の人や幼児の顔に直接に降りかかるのが回避できる。さらに、第3の部分7は複数の通気口13より構成するので、チリダニやほこりをマットレスから側方に、睡眠中の人／幼児の顔から遠ざかる方向で濾過するにおいてさらに役立つ。かようなシステムは衛生的であり、とりわけ幼児、老人および／または呼吸器系の問題をかかえる人たちにとって大きい恩恵を提供する。
【００５０】
図示した実施例においては、第1の着脱可能な部分3および第2の着脱可能な部分5はマットレス1上で相互に交換可能である。つまり、第1の着脱可能な部分3をジッパー4を用いて第3の部分7に取り付けて第1の就寝表面9にかぶせて装着させることができ、あるいはジッパー6に取り付けてマットレス1の第2の就寝表面11にかぶせて装着することができる。同様に、第2の着脱可能な部分5をジッパー6を用いて第3の部分7に取り付けてマットレス1の第2の就寝表面11にかぶせて装着することができ、あるいはジッパー4に取り付けて第1の就寝表面9にかぶせて装着することができる。マットレス1の第1のまたは第2の就寝表面9、11間で第1と第2の着脱可能な部分3、5は相互に交換可能であるような配置では、第1と第2のジッパー4、6のスライダー（すべり金具。スライドに同じ）25、27がマットレス1の周辺部のまわりではジッパーを開くときに互いとの関係において反対方向に滑ることが必要となる。これで第1のジッパー4上にあるスライダー25と第2のジッパー6上にあるスライダー27を相互にロックしてスライダーが反対方向に噛み合いが外れないように防止することが可能になり、それによって、マットレス用カバーの第1と第2の着脱可能な部分3、5がマットレス1から取り外されるのが防止される。スライダーを互いにロックするには小型の南京錠を使用してもよい。別法として、スライド25、27の1つまたは両方をマットレスにロックして着脱可能な部分3、5の取り外しを防止する方法もある。かような配置は、ホテルで使用される場合にはベッドのリンネル等々の盗難防止に役立って特に有利になるようである。
【００５１】
また、本発明の第1と第2の着脱可能なマットレス用カバー3、5は特定の大きさに製作されることがあり、あるいはジッパー4、6が特定の、特有の位置にして、補足的であるが、なお従来のとは異なるサイズで標準マットレスに合わせたサイズを有する特製のマットレスに装着するように製作されることがあることも想定される。このシステムは例えば、ホテルでそれらが標準マットレスとの互換性がないようにして、着脱可能なカバーの盗難の発生を防止し、あるいは少なくとも最小限度に抑えることで有利になりうる。
【００５２】
本実施例においては、本発明の着脱可能なカバー付きマットレスは下記の段階を実行することによって形成する。
【００５３】
1) マットレス側面の縁20を建造する
マットレス側面の縁は第4図において番号20で示すマットレスの側方周辺部のまわりに伸展するマットレスの部分である。本実施例においては、マットレス側面の縁20はマットレスの全厚さにわたって伸展していることが必要で、また2つのメスのジッパー部分24および26より構成していて、マットレス1の周辺部のまわりにそれぞれが伸展していることが必要である。ジッパー部分24はマットレスの就寝表面9の端部8からマットレスのまわりをぐるっと回って実質的に一定の距離に置かれていることが必要で、またジッパー部分26は他のマットレスの就寝表面の端部10からマットレスのまわりをぐるっと回って実質的に一定の距離に置かれていることが必要である。メスのジッパー部分24、26の各々は、オスのジッパー部分が所定位置にあるときにジッパーを閉じるためのメスのスライダー25、27を有している。高く評価されるであると思われるが、メスのジッパー部分24、26はそれぞれジッパー4、6の一部を形成する。第4図において、スライダー25、27はジッパー4、6の各々の開始位置において示されているが、それは審美的な目的のためのマットレス末端の中央において選ばれたものである。
【００５４】
マットレスの1つの側面から別の側面への、また一つのマットレスから次のマットレスへのカバーの相互交換性を可能にするためには、メスのジッパー部分24、26は一つのマットレスから次のマットレスへと反復可能である仕方でマットレス側面20上に正確に置かれていなければならない。これは以下に示す第5c図の型板Cを使用することで実現できる。
【００５５】
1a) メスのジッパー部分2箇所はそれぞれ布帯21、22に縫いつけられており、マットレスの側面20の外側部分を構成している。この段階では、メスのジッパー部分24、26と布帯21、22はマットレスの周囲全体に行き渡るだけの長さがあればよい。
【００５６】
1b) 布帯21、22が取り付けられたメスのジッパー部分2箇所24、26は、型板Cのオスのジッパー部分に取り付けられており、これによって構成されるジッパーは型板Cの全長LCに沿って閉じられる。型板Cの長さLC(第5c図を参照)は、マットレスの側方周辺部の周囲の長さに対応している。型板Cには、開口部53を挟み型板Cに沿う形で互いにほぼ平行に置かれた第1と第2のオスのジッパー部分51、52が取り付けられている。オスのジッパー部分51、52の開始点54、55は型板Cの相対する末端にあり、ジッパー部分は第3の部分7の幅w（図1、図2を参照）に対応する距離wだけ離れている。従って、メスのジッパー24、26が型板Cに取り付けられると、ジッパーの開始点は型板Cの相対する末端にある。
【００５７】
1c) マットレスの側面20の第3の部分7の役割を果たす布帯は、型板Cの長さに沿ってメスのジッパー部分24、26の間に置き、軽く張力をかける。布帯7はメスのジッパー部分24、26にホッチキスまたはピンで留められている。メスのジッパー部分24、26が型板Cによって所定位置に固定されているため、互いに対して正しい位置に置かれる。
【００５８】
1d) 型板Cの標識56、57を使用して、型板Cに取り付けられた1つまたは複数の要素にマットレスの側面の適切な長さを示す印を付ける。標識56、57は、マットレスの側面20がマットレスの側方周辺部の周囲に正確に適合する位置に付けられている。
【００５９】
1e) ジッパーを開いて、帯21、22、メスのジッパー部分24、26、および布帯7の組み合わせを型板Cから取り外す。メスのジッパー部分24および26を布帯7の長さ全体に渡って布帯7に縫いつける。
【００６０】
1f) この組み合わせがループを形成するように引っ張り、印が付けられた部分を縫い付けてループがマットレスと同じ外周になるようにすることにより、マットレスの側面20を完成させる。開始点54、55は型板Cの相対する末端に置かれているため、同じ視点から見た場合、メスのスライド部分はジッパー部分24、26に沿ってお互いに反対方向に移動する。たとえば、ある視点から見ると、前記ジッパーの片方を開くと対応するメスのスライダーが時計回りに動き、もう一方の前記ジッパーを開くと対応するメスのスライダーは反時計回りに動く。この仕組みにより、各ジッパーに関連付けられた就寝表面の上から見た場合、各ジッパーの方向が同じになるため、同じマットレスにある両方の就寝表面のカバーの互換性が確保される。図1〜図4で示した実施例では、各ジッパーに関連付けられた就寝表面から見た場合、ジッパー4およびジッパー6は開くときに両方とも時計回りに移動する。結果として、マットレス1においてカバー3およびカバー5は互換性がある。
【００６１】
2) マットレス1の形成 (カバーなし)
メスのジッパー部分24、26が適切な位置に来るようにマットレス1を形成するには、図5aに示したように型板Aを使用する。
【００６２】
2a) マットレスの側面20をスチール製のスプリング・マットレス・ブランクなど、マットレスのインナーの側方周辺部の周囲に合わせる。マットレス・ブランクにはスチール製のスプリングによって定まる就寝表面に断熱材があり、スプリングと断熱材を実質的に囲む発泡材がある。マットレス側面20の形成時に布帯7に軽く張力がかけられるため、マットレス側面20はマットレス・ブランクの側方周辺部にぴったり適合する。
【００６３】
2b） マットレス・ブランクおよびマットレスの側面20を型板Aに入れる。型板Aの長さlAおよび幅wAは、マットレスが凹部61にぴったりとはまるようになっており、型板Aのオスのジッパー部分60は挿入したマットレスのメスのジッパー部分と噛み合うようになっている。凹部61の深さdAは、マットレス側面20の各帯21、22の幅に対応している。型板Aの片方の端の中央に、オスのジッパー部分60の開始点62が付けられている。メスのジッパー部分26を型板Aのオスのジッパー部分60に取り付け、こうして構成されるジッパーがマットレス・ブランクの側方周辺部の周囲全体で閉じられるようにする。メスのジッパー部分24は型板Aの枠より布帯7の厚さほど上に持ち上がる。
【００６４】
2c） 就寝表面9となる不浸透性の布地シートをマットレス・ブランクの就寝表面の露出している部分にかぶせる。就寝表面9の端部8のまわりをぐるっと回るように、マットレス側面20にある布帯21に布地シート9をしっかり縫い付け、布地シート9とマットレス側面20の両方がオスのジッパー部分60に対して軽く張力がかかった状態にする。
【００６５】
2d） マットレス・ブランクを型板Aから取り外して裏返し、型板Aに戻す。マットレスのカバーは互換性があるため、同じ型板を使用して両方のジッパーの位置決めを行える。
【００６６】
2e) メスのジッパー部分24を型板Aのオスのジッパー部分60に取り付け、こうして構成されるジッパーがマットレスの側方周辺部の周囲全体で閉じられ、メスのジッパー部分26が型板Aの枠より布帯7の厚さだけ上に来るようにする。
【００６７】
2f） マットレス1の第2の就寝表面となる第2の不浸透性の布地シートをマットレス・ブランクの上にかけ、第2の就寝表面の端部10の周囲全体に渡って、布地のシートをマットレス側面20の布帯22に縫い付ける。同時に第2の不浸透性の布地シートとマットレス側面20が型板Aに対して軽く張力がかかった状態にする。以上で型板Aの利用によりメスのジッパー部分24、26がマットレス1に適切に取り付けられ、マットレス1（カバーなし）の形成が完了する。この時点で、型板Aのオスのジッパー部分60からメスのジッパー部分24のジッパーを外すことにより、型板Aからマットレス1を取り外すことができる。
【００６８】
3） 取り外し可能なカバーの形成
図1〜図3で示した着脱可能なカバー3および5は実質同一のものである。重要なこととして、カバー3およびカバー5はマットレス1上で互換性があり、同様の他のマットレスのカバーとも互換性を持つ。このようなカバーを形成するには、図1〜図3のカバー3の形成に関して以下に示されているように型板Bを使用する。本実施例の方法は各就寝表面にカバーが1枚ずつある、つまり、着脱可能なカバーが2枚あるマットレスに関して説明しているが、この方法は就寝表面が1面だけで着脱可能カバーも1枚だけのマットレスの形成にも適用できると想定している。
【００６９】
3a) カバー3の側方の部分18となる布帯は、オスのジッパー部分19に縫いつけられる（図3を参照）。この段階では、オスのジッパー部分と布帯18はマットレスの側方周辺部全体に行き渡るだけの長さがあればよい。  
【００７０】
3b) オスのジッパー部分19を型板Bのメスのジッパー部分70に取り付け、ジッパー70の開始点に図示されているスライド部分71をスライドさせ、型板Bの周囲全体に渡ってこのジッパーを閉じる。オスのジッパー部分19と布地18が正確な長さになるよう、標識72を使用して印を付ける。
【００７１】
3c） 型板Bからオスのジッパー部分19を取り外して布帯18とオスのジッパー部分19でループを形成し、ループがマットレスの周囲にぴったり適合するように印の部分で縫い付ける。
【００７２】
3c） メスのジッパー部分70を使用して、縫い付けたループと型板を噛み合わせる。型板Bの距離dBは布帯18の幅に対応している。
【００７３】
3d） 就寝部分のカバーを型板Bにかぶせる。カバーは長さlB、幅wBで、マットレス1の就寝表面と実質同じ寸法である。就寝表面の端部8の周囲全体に渡って、就寝部分のカバーを布帯18に縫い付ける。ジッパーを開けて、完成したカバー3を型板Bから取り外す。型板Bの作業面は、就寝部分のカバーを布帯18に縫い付けるのに使用するミシンの針を保護するため、発泡体の層で覆われている。この発泡体の層はまた、型板Bの作業面に置かれ、形成されるカバーが破れないように保護する。
【００７４】
ここまでで分かるように、上記の方法で3つの型板を使用すると正確に仕上げることができ、互換性のあるマットレスやマットレス・カバーを繰り返し作成できる。3つの型板はいずれも支持構造が堅牢なため、計測、印付け、位置合わせ、およびマットレス・カバーやマットレスへのジッパーの取り付けが正確に行える。このような型板により、型板を使用して作成したマットレスやマットレス・カバーでは常に同じ位置にジッパーを取り付けることができ、異なるマットレス、および同じマットレスの裏と表で互換性のある着脱可能カバーを作成できる。本実施例では、オスのジッパー部分はカバーの第1および第2の着脱可能部分に取り付け、メスのジッパー部分は必ずマットレスに取り付けるようにした。これにより、スライド可能な閉鎖部材が付いたジッパーはカバーの第1または第2の着脱可能部分には取り付けられず、従って第1または第2の着脱可能部分のいずれかと共に取り外されることがない。カバーにスライド可能な閉鎖部材が付いている場合、洗濯機で洗濯すると、スライド可能な閉鎖部材と洗濯機の両方を破損する可能性があるため、この配置は有利である。
【００７５】
図6、7、および8は本発明の第2の望ましい実施例に基づいたカバー付きマットレスを描写している。これは就寝表面部分80と、着脱可能カバーをマットレスに固定するための弾性を有する手段86が付いた基盤部分82で構成されている。就寝表面部分80は、マットレスの側方周辺部にあるジッパー84を開けることにより基盤部分82から簡単に着脱可能である。有利なことにはこの配置によって、本発明による着脱可能なマットレス用カバーを従来のどんなマットレスにもしっかり留めることが可能になる。
【００７６】
ここで示した実施例では、就寝表面部分80の下にある基盤部分82の表面88は木綿製である。ただし、この基盤部分82の表面88は、チリダニや水分を浸透させない材料であればどんな材料で作ってもよい。このようにして、就寝表面部分80が汚れた場合、基盤部分82から就寝表面部分80を簡単に取り外し、基盤部分82をきれいに拭いてから、別の清潔な就寝表面部分80を基盤部分82に取り付けることができる。
【００７７】
本明細書全体に渡り、「○○より構成される（する）」という語は記述された1つの要素、整数、手順、または複数の要素、整数、手順を包含していることを示すと理解されることになるが、それ以外の1つの要素、整数、手順、または複数の要素、整数、手順を除外しているわけではない。
【００７８】
具体的な実施例で示したように、ここで大まかに説明した本発明の精神や範囲を保ちつつ、さまざまな変形形態や変更形態を本発明に加えることができることを当分野の技術者は理解されたい。従って、本実施例はすべての点で、限定的ではなく説明的なものとみなされるべきである。
【図面の簡単な説明】
【００７９】
【図１】第1図は本発明の第1の実施例に従ったカバー付きマットレスを描写しているが、第1と第2の閉鎖部材は全閉した位置にあるのでマットレスの第1と第2の就寝表面は覆われている。
【図２】第2図は第1図のカバー付きマットレスを描写しているが、第1と第2の閉鎖部材は部分的に開いた位置にある。
【図３】第3図は第1図および第2図のカバー付きマットレスを描写しているが、第1と第2の閉鎖部材は第2図で描写しているよりも、全開に近い位置にある。
【図４】第4図は図1から図3までのマットレスを描写しているが、この場合にカバーの第1と第2の着脱可能な部分は取り外してある。
【図５ａ】第5a図は第1図から第4図までのカバー付きマットレスを製造するために使用される第1の型板の透視図である。
【図５ｂ】第5b図は第1図から第4図までのカバー付きマットレスを製造するために使用される第2の型板の透視図である。
【図５ｃ】第5c図は第1図から第4図までのカバー付きマットレスを製造するために使用される第3の型板の透視図である。
【図６】第6図は本発明の第2の実施例に従った着脱可能なカバー付きマットレスを描写しているが、この場合にカバーは基盤部分と就寝表面部分を有している。
【図７】第7図は第6図に従った着脱可能なカバー付きマットレスを上下反転させた向きで描写しており、着脱可能なカバーをマットレスに留める、弾性を有する手段を描写するようにしたもの。
【図８】第8図は第6図に従った着脱可能なカバー付きマットレスを描写しているが、ここで就寝表面部分は部分的に開いた位置にあり、基盤部分の下にある表面が見えるようにしたもの。
【図１】
2005520613.tif 000003
【図２】
2005520613.tif 000004
【図３】
2005520613.tif 000005
【図４】
2005520613.tif 000006
【図５ａ】
2005520613.tif 000007
【図５ｂ】
2005520613.tif 000008
【図５ｃ】
2005520613.tif 000009
【図６】
2005520613.tif 000010
【図７】
2005520613.tif 000011
【図８】
2005520613.tif 000012
【国際調査報告】
2005520613.tif 000013
2005520613.tif 000014
2005520613.tif 000015